(57)【特許請求の範囲】
【請求項１】
要介護者宅内に設置されてドアの開閉，テレビ電源の投入切断，人の往来その他の人の生活行動に関連する情報としての生活情報信号を出力する生活情報検知部と、前記生活情報信号の入力に応じて登録発信先として登録された複数の登録発信先に発呼する発信部と、前記要介護者の名前と，前記発信部に接続される電気通信回線の加入者電話番号又は契約者電話番号とを対応させて格納する要介護者テーブルを記録可能な要介護者情報記録部を設けた発信者情報表示装置とからなり、該発信者情報表示装置は複数の介護者宅内それぞれに備えられると共に、前記要介護者宅内の発信部とは電気通信回線を介して接続され、前記発信部には、前記要介護者の生活行動の発生に応じて複数の登録発信先それぞれに対して発呼してその後速やかに切断する呼制御手段を設け、前記発信者情報表示装置には、電気通信回線から検出される前記要介護者の発信者電話番号に対応した，前記要介護者テーブルから読み出される要介護者の名前データを出力制御する出力インターフェース部を設けると共に、前記発信者情報表示装置の全体を規定されたステップに従って制御実行するための制御部を備えたことを特徴とする要介護者安否確認システム。
【請求項２】
請求項１記載において、前記要介護者情報記憶部には、前記生活情報検知部が設置される場所と，時間帯別の設定回数と，前記時間帯と，これらに対応する具体的な警告メッセージ文とをそれぞれ設定記憶する設定情報テーブルを設け、出力インターフェース部は、前記発信部からの着信回数を計測して、設定時間帯に前記設定回数だけ着信がなかったときに、前記設定時間帯に対応する警告情報を出力することを特徴とする要介護者安否確認システム。
【請求項３】
請求項２記載において、前記警告情報は、要介護者の生活行動の異常について具体的に警告する内容の警告メッセージ文データであることを特徴とする要介護者安否確認システム。
【請求項４】
請求項２記載において、前記警告情報は、要介護者の生活行動の異常レベルの程度に対応する人相を形象するグラフィックデータであることを特徴とする要介護者安否確認システム。
【請求項５】
請求項１，２又は３記載において、前記要介護者情報記憶部は、前記発信部２０からの着信に連動して、その着信履歴としての前記要介護者の電話番号データ，名前データ，着信時刻データ及び対応する前記警告メッセージデータを記憶するログテーブルを記録し、前記発信者情報表示装置が前記ログテーブルに記憶された内容を前記出力部に順次印刷出力することを特徴とする要介護者安否確認システム。
【発明の詳細な説明】
【０００１】
【産業上の利用分野】
本発明は、遠隔地に居住する家族やホ−ムヘルパー等が、日常的に、且つ電気通信回線の通話料が課金されずに、独居老人，非健常者等の要介護者の安否を容易且つ確実に確認することができる要介護者安否確認システムに関する。
【０００２】
【従来の技術】
日本国内の第１種電気通信事業者（以下、「キャリア」と言う）は、自己の公衆回線交換電話網（ＰＳＴＮ：Public Switched Telephone Network 、以下「ＰＳＴＮ」と言う）内において、ローカル局，ゾーン統括局等のいくつかの階層に位置づけられているデジタル交換機の相互を共通線信号方式（ＪＴ−Ｑ．７６４等）にて接続し、生起された呼に関する共通線信号メッセージを各交換機間でやりとりし、適切なルーティング及び課金処理を行っている。
【０００３】
その共通線信号メッセージのうち、加入者より呼が生起されたときに生成される、相手先電話番号，発信者電話番号（加入者番号又はＩＳＤＮの場合は契約者電話番号），呼の属性等、種々のパラメータを含むメッセージをＩＡＭ(Initial Address Message) という。ＰＳＴＮ内の各交換機は、このＩＡＭメッセージに格納された相手先電話番号を検出して適切に展開及びルーティングをしたり、また、発信者電話番号を特定して前記発信者に課金を行う等の業務に供されている。このような電気通信サービスでは、発信者電話番号を着信者側に通知する発信者番号通知サービスが各キャリアから提供されている。
【０００４】
一方、近似は高齢化社会，核家族化及び地方離れの加速度的進行に比例し、いわゆる独居老人，非健常者，身寄りのない重病人等の介護を必要とする者（以下、「要介護者」という。）が急激に増加している。
【０００５】
例えば、身内の殆どが東京へ移住してしまったり、配偶者の死去等によって地方で独居となる老人や、経済的理由や身寄りがないことが原因で、数少ないボランティアや公的介護制度に強く依存せざるを得ない独居の非健常者及び重病人の数は日増しに増加の一途を辿る。
【０００６】
かかる状況にあって、各地の介護施設や介護支援団体では、勢力的に介護活動を実施しているが、人的労力の確保が極めて困難なために、一人の介護者（独居老人等の介護を行う者）が多数の要介護者の面倒を見なければならない事態が継続的に続いており、介護レベルの低下を招いている。
【０００７】
このような介護レベルの低下を改善する動きとして、例えば特開平９−２８６８１では、在宅独居老人等の安否を監視し、異常検出時に緊急通報する安否確認システムが開示されている。
【０００８】
しかしながら、前記安否確認システムは、種々のセンサにて対象者の生活行動を監視し、異常がみられた場合にその対象者宅の電話機を鳴動させて、対象者本人の発声にて音声で無事を確認する構成としているので、その対象者が口のきけない者の場合は、無事の確認がとれずに、異常ではなくても異常であるとご認識されて必ず通報されてしまう欠点がある。
【０００９】
また、この通報内容には前記対象者の発声した音声データが含まれることから、通報すると必ずデータ通信（3.1K Audio呼の場合も64K DATA呼の場合も両方が該当）が行われるので、通話料金が課金されることとなる。
【００１０】
また、排泄物の有無，体積，温度，不整脈の検出，無呼吸の検出等、あらゆる生体情報を検出するための各種センサが必要であり、大病院の集中治療室（ＩＣＵ）と互角の設備を要する。そのためには、多額の工事費用，設備費用と、工事の為の時間が必要であり、その結果、経済的に余裕のない多数の要介護者は、このような安否確認システムを導入することができないと予想される。
【００１１】
次に、特開平１０−５６５１７には、単身で生活している老人など安否を確認するために一般家庭、医療機関や地方団体が利用する生活状況確認システムが開示されている。
【００１２】
しかしながら、前記生活状況確認システムは、電気，ガス，水道メータ等から検出した立ち上がり信号等を検出して、その検出時刻を電話回線で送信する構成としている。一般に、電気，ガス，水道メータ等は料金改ざんを防止するため封印されているので、実施できる者はこれらインフラサービスの提供事業者に限定されることが予想される。
【００１３】
また、前記生活状況確認システムは、立ち上がり信号等の検出時刻を電話回線で送信するので、必ずデータ通信（3.1K Audio呼の場合も64K DATA呼の場合も両方が該当）が行われ、通話料金が課金されることとなる。
【００１４】
【発明が解決しようとする課題】
以上のような現状に鑑み、システム維持コストが殆ど不要で、介護者にも要介護者にも負担をかけずに、遠隔地に居住する家族やホームヘルパー等が、独居老人，非健常者等の要介護者の安否を容易に，且つ確実に確認することができるような要介護者安否確認システムの登場が、要介護者を抱える家族，福祉の現場，地方自治体及び官公庁等から強く切望されていた。
【００１５】
【課題を解決するための手段】
そこで発明者は、鋭意研究を重ねた結果、その発明を、要介護者宅内に設置されてドアの開閉，テレビ電源の投入切断，人の往来その他の人の生活行動に関連する情報としての生活情報信号を出力する生活情報検知部と、前記生活情報信号の入力に応じて登録発信先として登録された複数の登録発信先に発呼する発信部と、前記要介護者の名前と，前記発信部に接続される電気通信回線の加入者電話番号又は契約者電話番号とを対応させて格納する要介護者テーブルを記録可能な要介護者情報記録部を設けた発信者情報表示装置とからなり、該発信者情報表示装置は複数の介護者宅内それぞれに備えられると共に、前記要介護者宅内の発信部とは電気通信回線を介して接続され、前記発信部には、前記要介護者の生活行動の発生に応じて複数の登録発信先それぞれに対して発呼してその後速やかに切断する呼制御手段を設け、前記発信者情報表示装置には、電気通信回線から検出される前記要介護者の発信者電話番号に対応した，前記要介護者テーブルから読み出される要介護者の名前データを出力制御する出力インターフェース部を設けると共に、前記発信者情報表示装置の全体を規定されたステップに従って制御実行するための制御部を備えたことを特徴とする要介護者安否確認システム等としたことにより、独居の要介護者による宅内の風呂，トイレ，玄関等のドア開閉、テレビ電源の投入・切断等の生活行動に連動して、かかる生活行動があった事実が電気通信回線を介して遠隔地に居住する家族やホ−ムヘルパー等に通知され、更に、該通知によって発信者情報表示装置が設定情報と比較して安否を確認することができるようになり、前記課題を解決したものである。
【００１６】
【発明の実施の形態】
本発明の要介護者安否確認システムの主な構成について、図面に基づいて説明する。図１は、その要介護者安否確認システムの概念図である。ここでは、要介護者はＡ宅に居住しているものとする。そのＡ宅には、トイレ，風呂，玄関，居間，ベランダ等のドアや窓に任意に設置される第１生活情報検知手段１０ａ（例えばメーク接点，手動復帰接点等），第２生活情報検知手段１０ｂ（例えばバネ復帰接点等），第３生活情報検知手段１０ｃ（例えばマイクロスイッチ，リミットスイッチ等），第４生活情報検知手段１０ｄ（例えば、２以上のメーク接点，手動復帰接点，バネ復帰接点，マイクロスイッチ，リミットスイッチ，磁気センサ，光学センサ，振動センサ，圧力センサ，水位センサ，温度センサ，通電センサ又は赤外線センサ等を直列接続してなる構成としたもの），…からなる生活情報検知部１０と、該生活情報検知部１０が出力する生活情報信号をトリガにして、登録されている遠隔地に居住する家族やホ−ムヘルパーＢ宅，Ｃ宅，Ｄ宅，…等に順次発呼を行う発信部２０とが設置される。
【００１７】
Ａ宅にアナログ電気通信回線が引き込まれている場合は、該回線に、ＭＪ−１１型モジュラージャック３０等を介して、発信部が接続される（図１及び図２参照）。また、該発信部２０には、アナログポートを１又は２以上設けることもでき、その場合は単独電話端末３１（プッシュ回線対応、ダイアル回線対応を問わない）を更に接続することができるが、接続しないこともある。
【００１８】
そして、Ａ宅にデジタル統合通信網（ISDN:Integrated Services Digital Network）のデジタル電気通信回線が引き込まれている場合は、該回線に、図示しないいわゆるターミナルアダプタ（TA:Terminal Adapter ）が接続され、そのアナログポートに前記発信部２０が接続される。本明細書では、「電気通信回線４０」といった場合は、前記アナログ電気通信回線と前記デジタル電気通信回線とのいずれか又は両方を呼称することがある。
【００１９】
次に、ホームヘルパーのＢ宅，前記要介護者の家族が居住するＣ宅及びＤ宅には、キャリアが提供する、いわゆる発信者番号通知サービスの提供を受けるための表示アダプタ５０又は図示しないターミナルアダプタが加入者回線に接続される。ここで、その加入者回線がアナログ電気通信回線である場合も、デジタル電気通信回線である場合も、前記要介護者のＡ宅における場合と同様、ＭＪ−１１等のモジュラージャック３０を介して接続されたり、図示しないいわゆるＴＡを介してそのアナログポートに接続されることがある。また、前記単独電話端末３１が前記表示アダプタ５０に接続されることがあるが、接続しないこともある。
【００２０】
前記表示アダプタ５０の動作について簡単に説明すると、図１において要介護者のＡ宅からホームヘルパーのＢ宅に着信があるとすると、Ｂ宅を収容するキャリアの図示しない加入者交換機は、前記Ｂ宅を収容する電気通信回線４０に呼出信号を送出する前に、ＤＴＭＦ音によって前記Ａ宅の電話番号，即ち発信者電話番号を、前記Ｂ宅の前記表示アダプタ５０に送出する。
【００２１】
そして、受信された前記発信者電話番号は、前記表示アダプタ５０内に設けられることがある図示しないハイブリッド回路等を介して２線−４線変換され、そのＤＴＭＦ音がデジット信号に変換された後、Ａ／Ｄ変換によってデジタルの発信者電話番号データに変換され、ＲＳ−２３２Ｃ，ＲＳ−４２２等の規格に準じた図示しない通信インターフェースを介して外部へ出力制御される。
【００２２】
前記要介護者Ａ宅に係る発信者電話番号データは、次に、Ｂ宅の発信者情報表示装置Ｔの通信インターフェース部に入力される（図１及び図３参照）。その受信された発信者電話番号データは、Ａ宅の前記要介護者に関する名前，電話番号等の種々の情報が予め設定される要介護者テーブル６１ａ1 に格納されている電話番号データと比較される。
【００２３】
そして、一致する電話番号データが前記要介護者テーブル６１ａ1 に存在する場合、対応する要介護者，即ちここでは発信元であるＡ宅の要介護者の名前，電話番号等が、液晶表示装置等の表示手段６８ｂ1 に表示されたり、プリンタ等の印刷手段６８ｂ2 に印刷される。
【００２４】
ここで、図２において、前記発信部２０は、前記生活情報検知部１０から出力される生活情報信号が入力されると、それに対応して登録発信先（前記Ｂ宅，Ｃ宅，Ｄ宅及び介護センターＥ等）に発呼するが、その後速やかに、即ちＡ宅の発信者電話番号データが、Ｂ宅，Ｃ宅等の発信者情報表示装置Ｔに検出されるのに十分な時間（例えば０．６秒程度）経過したら、その呼を切断するように制御する。
【００２５】
本明細書では、「発呼」といった場合、アナログ電気通信回線に対しては、加入者交換機側に向けてループを形成して着信先電話番号のＤＴＭＦ又はダイアルパルスを送出するまでの発信動作をいい、デジタル電気通信回線に対しては、Ｄチャンネル信号リンクを加入者交換機と確立して、発信者電話番号データと，着信先電話番号データとを含むＳＥＴＵＰメッセージをＪＴ−Ｑ．９３１信号方式に従って送信する発信動作をいう。特に、前記デジタル通信回線の場合は、いわゆる簡易型携帯電話通信システム（ＰＨＳ）におけるＪＴ−Ｑ．９１３−ｂ信号方式に従った発信動作，その他携帯電話通信システムで使用される種々の呼設定プロトコルに従った発信動作の全てを含む概念とする。
【００２６】
また、前記発信者情報表示装置Ｔは、図３に示すように、主に、前記表示アダプタ５０を接続するＲＳ２３２Ｃ等の通信インターフェース部６２と、ＲＡＭ等のメモリである第４記憶部６４と、本発信者情報表示装置Ｔの動作を制御する発信者情報表示プログラムと必要な種々のパラメータが格納されるＲＯＭ等の第３記憶部６３ｂと、要介護者の名前，電話番号等がそれぞれ格納される要介護者テーブル６１ａを記録可能な第１記憶手段６１ａと、前記生活情報検知部１０が設置される場所，時間帯別の最低着信予定回数等がそれぞれ格納される設定情報テーブル６１ｂ1 と、着信履歴が記録されるログテーブル６１ｂ2 とを記録可能な第２記憶手段６１ｂと、プリンタ，液晶表示装置，スピーカ等の出力装置からなる出力部６８と、これらの各要素を前記発信者情報表示プログラムに基づいて適宜制御する中央演算処理装置（以下、「ＭＰＵ６０ｂ」という。）を含む制御部６０と、バスＢと、前記制御部６０の制御に基づいて前記出力部６８に要介護者の安否に係る情報を適宜出力するための出力インターフェース部６６とからなる。
【００２７】
本明細書では、前記第１記憶手段６１ａと前記第２記憶手段６１ｂとは、同一の記録媒体として形成されることがあり、これらを総称して「要介護者情報記憶部６１」ということがある。また、前記出力インターフェース部６６は、スピーカを接続可能な音声出力端子、液晶表示装置やＣＲＴディスプレイを接続可能な映像出力端子、プリンタを接続可能なセントロニクス，ＲＳ−２３２Ｃ，ＲＳ−４２２，シリアルポート，パラレルポート，ＵＳＢその他のいかなるプリンタポート、発光ダイオード（ＬＥＤ）等の発行素子を接続可能な低電圧出力端子，記録装置を接続可能なＳＣＳＩ端子等、種々の接続インターフェースが設けられる構成とする。
【００２８】
各要素について、より具体的に記せば、まず前記第４記憶部６４は前記制御部６０が演算又はプログラムの実行等をする際に必要なワークエリアを提供することを主目的とするＲＡＭ（Random Access Memory）等のメモリであり、種々の演算結果やプログラムを実行した結果や指定された記憶アドレス等が記憶される。
【００２９】
その第４記憶部６４は、コンピュータの基本ソフト（OS:Operating System ）も共用できるものであり、その場合、ＯＳは予め必要なメモリ領域を前記第４記憶部６４に確保し、残りの空いているメモリ領域を、演算又はプログラムの実行等をする際に必要なワークエリアとして使用することがある。従って、前記第４記憶部６４は中速度以上で読み出し及び書き込み可能な記憶媒体としてのＲＡＭ（ＳＩＭＭ，ＤＩＭＭ，ＤＲＡＭ，ＳＲＡＭ，ＳＤＲＡＭその他のＲＡＭ）の使用が好ましいが、ＦＤ（Flexible Disk/Floppy Disk ），ＨＤＤ（Hard Disk Drive ），ＤＶＤ−ＲＡＭ（Digital Video Disk-RAM），ＭＤ，ＭＯ（Magneto-Optical Disk），ＰＤ等の記録媒体（記録媒体）の他、ＥＰＲＯＭ（Erasable Programmable Read Only Memory）やＥＥＰＲＯＭ（Electrically Erasable Programmable Read Only Memory ），フラッシュメモリ，スマートカード（登録商標），スマートメモリ（登録商標），コンパクトフラッシュカードその他のいかなる記録媒体（記録媒体）であっても適用可能である。
【００３０】
次に、前記第１記憶手段６１ａには、要介護者テーブル６１ａ1 が記録されており、該要介護者テーブル６１ａ1 はデータベースとして使用され得るものである。具体的には、前記要介護者テーブル６１ａ1 には、要介護者に関する種々のデータ、即ち、ユニークに割り当てられたコード番号，電話番号，名前（漢字），フリガナ（カタカナ，ローマ字等），住所，家族の連絡先，持病，既往症，投与薬及びその他の備考に関するデータが格納される。
【００３１】
この第１記憶手段６１ａは前述のようにデータベースとして使用され得るものであるから、前記ＦＤ（Flexible Disk / Floppy Disk ），前記ＨＤＤ（Hard Disk Drive ），前記ＤＶＤ−ＲＡＭ（Digital Video Disk-RAM），前記ＭＤ，前記ＭＯ（Magneto-Optical Disk），前記ＰＤ等の記録媒体（記録媒体）の他、前記ＥＰＲＯＭ（Erasable Programmable Read Only Memory）や前記ＥＥＰＲＯＭ（Electrically Erasable Programmable Read Only Memory ），前記フラッシュメモリ，前記スマートカード（登録商標），前記スマートメモリ（登録商標），前記コンパクトフラッシュカードその他のいかなる記録媒体（記録媒体）であっても適用可能である。
【００３２】
次に、前記第３記憶部６３には、本発信者情報表示装置Ｔにおいて実行されることがある発信者情報表示プログラムと、その実行に必要な種々のパラメータ値とが記録されており、前記制御部６０の指令に基づいて、プログラム格納部６３ｂに格納されている前記発信者情報表示プログラムが実行されるとともに、データ格納部６３ａからはその発信者情報表示プログラムの実行に必要な各種パラメータ値等が読み出され、前記プログラム格納部６３ｂは、前記制御部６０の指令に従って適切なパラメータを引用して前記発信者情報表示プログラムの実行を確実に行う。
【００３３】
この第３記憶部６３は、前記発信者情報表示プログラムが記録されることがあるから、ＲＯＭ（Read Only Memory），前記ＦＤ（Flexible Disk / Floppy Disk ），前記ＨＤＤ（Hard Disk Drive ），前記ＤＶＤ−ＲＡＭ（Digital Video Disk-RAM），前記ＭＤ，前記ＭＯ（Magneto-Optical Disk），前記ＰＤ等の記録媒体の他、前記ＥＰＲＯＭ（Erasable Programmable Read Only Memory）や前記ＥＥＰＲＯＭ（Electrically Erasable Programmable Read Only Memory ），前記フラッシュメモリ，前記スマートカード（登録商標），前記スマートメモリ（登録商標），前記コンパクトフラッシュカードその他のいかなる記録媒体であっても適用可能である。ここで、前記第３記憶部６３は、前記要介護者情報記憶部６１と物理的に同一の記録媒体として形成されることがある。
【００３４】
ここで、前記制御部６０は基本ソフトとしてのＯ／Ｓ（Operating System）の実行制御に基づいて制御されることがある。この場合、前記要介護者情報記憶部６１にＯ／Ｓ格納部６１ｂ3 を設け、又は前記第３記憶部６３にＯ／Ｓ格納部６３ｃを設けて、これらのいずれか又は両方に前記Ｏ／Ｓを格納（記録）させておくことがある（図３参照）。前記発信者情報表示プログラムが出力インターフェース部６６にデータを出力する際は、前記Ｏ／Ｓの処理を介して実行されることがある。
【００３５】
次に、前記制御部６０は、前記発信者情報表示装置Ｔの全体を前記発信者情報表示プログラムに規定されたステップに従って制御実行するためのものであり、前記ＭＰＵ６０ｂと、通信制御部６０ａと、入出力制御部６０ｃとを具備する。
【００３６】
前記ＭＰＵ６０ｂはいわゆるＣＰＵであってもよい。前記通信制御部は、前記ＭＰＵ６０ｂと外部端末（モデム、ＴＡ、前記表示アダプタ５０等の外部通信装置又は外部通信端末）との間の通信を、前記通信インターフェース部６２を介して適宜制御するためのものであり、通信用ドライバ及び前記発信者情報表示プログラムに規定された手順に従って前記外部端末に信号又はメッセージを送り、又はその外部端末から信号又はメッセージを受ける。
【００３７】
更に必要があればエラー訂正等も行う。前記通信インターフェース部６２はいかなる規格のものでも適用可能であるが、好ましくは通信インターフェースのデファクトスタンダードとなっているＲＳ−２３２Ｃに準拠するものとし。ＲＳ−４２２その他の規格のインターフェースでも信号処理が実行できるものとする。前記入出力制御部６０ｃは、マウスやキーボード等の入力部６７からの入力信号、及びスピーカや液晶表示装置等の出力部６８への出力信号を、前記ＭＰＵ６０ｂの指令に基づいて適宜制御するためのものであり、入出力制御ドライバ又は前記発信者情報表示プログラムに規定された手順に従って、通信インターフェース部６２及び出力インターフェース部６６を介して、前記ＭＰＵ６０ｂが適切に、入力される発信者電話番号データから対応する要介護者を特定したり、前記要介護者に関する情報を前記表示手段６８ｂ1 等に適宜出力表示等するものである。
【００３８】
以下、本発明の要介護者安否確認システムの好適な実施の形態の一例について、図面に従って説明する。まず、図１及び図２において、要介護者Ａ宅内の主に宅内に設置されることがある生活情報検知部１０は、その要介護者が日常の生活において、必ずすることがあると考えられる行動、即ち、トイレのドア，風呂のドア，台所の窓，玄関のドア，部屋のふすまや障子，冷蔵庫のドアその他の扉類を開閉する等の生活行動を検知するため、適宜の場所に前記第１検知手段１０ａ，前記第２検知手段１０ｂ，…として設置する。
【００３９】
本明細書では、要介護者が日常の生活において、必ずすることがあると考えられる行動に起因して検知される扉類の開閉，電化製品の電源のＯＮ／ＯＦＦ，音の発生／停止，振動の発生／停止，水流の発生／停止その他の行動を、「生活行動」ということがある。また、該生活行動の有無に関する情報を、特に「生活情報」ということがある。
【００４０】
前記生活情報検知部１０は、前記第１検知手段１０ａ，前記第２検知手段１０ｂ，前記第３検知手段１０ｃ，前記第４検知手段１０ｄ，…の少なくともいずれか一つを有するものであればよい。また、これらの各検知手段はいかなるスイッチ，接点，センサ等でも適用でき、単独で、最も毎日開閉される可能性が高いと思われる部位（冷蔵庫のドアやトイレのドア等）に設置してもいいし、第１検知手段１０ａ，第２検知手段１０ｂ，…としてあらゆる扉類等に並列接続とした形態で設置する構成としてもよい。
【００４１】
例えば、上記第４検知手段１０ｄの場合、２以上の接点が連続してＯＮになったとき（負論理の場合はＯＦＦ）、又は２以上のセンサが連続してＯＮになったとき（負論理の場合はＯＦＦ）に、全体として生活情報が検知される構成とすることがある。より具体的には、洗面所の奥に風呂場が設置されている構造の家屋では、一旦洗面所のドアに設置される前記第４検知手段１０ｄの片方の接点がＯＮとなり、その後風呂場のドアに設置されるもう一方の前記第４検知手段１０ｄの接点がＯＮとなって、全体として生活情報が検知される構成とすることがある。
【００４２】
また、本発明の要介護者安否確認システムにおいては、特に要介護者が一日に一回は必ず電源の投入又は切断をすると思われるテレビ１１に設置して、該テレビ１１の通電の有無を検出するためのテレビ電源検知手段１０ｅを設けることがある。このテレビ電源検知手段１０ｅは、前記テレビ１１の電源コードに直列又は並列に挿入される通電センサでもよいし、前記テレビ１１本体内の電源トランスへの通電を検知する通電センサでもよいし、前記テレビ１１の赤外線リモコンから発射される赤外線を検知する赤外線センサでもよいし、通電された前記テレビ１１本体の周囲温度の上昇又は低下を検知する温度センサであってもよいが、好ましくは、前記テレビ１１の図示しないイヤホン出力端子に出力される音声出力信号を検知する圧電センサとする。
【００４３】
前記圧電センサとは、例えば圧電振動板に入力される電圧に応じて音を発する圧電発音体１０ｅ1 と、該圧電発音体１０ｅ1 が空間に発する音を検知して電気信号に変換する圧電受音体１０ｅ2 とを対向設置する構成とし、これらを筐体で覆う。前記テレビ１１がＯＮになれば、そのイヤホン端子からは音声出力信号が出力されるので、これを前記テレビ電源検知手段１０ｅで検知することにより、要介護者の安否を確認することができる。以上の各検知手段は、正論理でも負論理でもよく、それぞれの検知結果はＯＲ論理又はＡＮＤ論理で制御されることがある。
【００４４】
要介護者の生活行動に起因して発生するイベントのぞれぞれは、前記第１検知手段１０ａ，第２検知手段１０ｂ，…で逐次検知されて電気信号に変換されるが、この電気信号を、特に「生活情報信号」ということがある。この生活情報信号は前記発信部２０に入力される。即ち、波形整形手段２０ｇに入力される。該波形整形手段２０ｇは、前記生活情報信号の入力波形におけるインパルス部分（チャタリングを起こして瞬間的に高電圧となった部分）のを制限して、前記発信部２０を高電圧から保護するためのものであり、例えばＣＲ積分器やリミッタ回路が適用できるが、これらに限定されない。
【００４５】
前記発信部２０のタイマ手段２０ａは、入力される前記生活情報信号の入力継続時間を測定するものである。具体的には、例えば前記第１検知手段１０ａ，第２検知手段１０ｂ，…全てが開放状態であって、要介護者がテレビ１１の電源を投入又は切断すると、前記テレビ電源検知手段１０ｅが通電の有無を検知して生活情報信号が送出され、前記タイマ手段２０ａに入力される。該タイマ手段２０ａは、タイマ値変更手段２０ａ1 によって設定された所定時間以上、その生活情報信号が入力されると、それを「１回」とカウントする。
【００４６】
その結果、次のトリガ信号送出手段２０ｂに、発呼を１回だけすることを促すためのトリガ信号を生成することを許容するので、該トリガ信号送出手段２０ｂは、例えば正又は負のトリガパルスを呼制御手段２０ｃに出力する。前記トリガ信号送出手段２０ｂは、入力信号の有無に応じて状態遷移するフリップフロップ回路等が適用されることがあるが、これに限定されない。前記タイマ値変更手段２０ａ1 は、タイマ値の設定及び変更を任意に行うことができ、具体的にはＣＲ回路で定まる時定数を設定又は変更することで実現することがあり、可変コンデンサ及び可変抵抗等をツマミで回転調節する構成とすることがある。
【００４７】
また、前記タイマ手段２０ａは、設定された所定時間以内に前記生活情報信号が再入力されても、それを「１回」とカウントする構成とすることがある。この場合、前記タイマ手段２０ａは、前回入力された生活情報信号の受信完了から極めて短時間，例えば数百ミリ秒乃至数ミリ秒の後、タイマをリセットして新たに計時を開始できる構成とする。その結果、前記トリガ信号送出手段２０ｂは、例えば正又は負のトリガパルスを呼制御手段２０ｃに出力した直後でも、引き続き連続して起こる要介護者の生活行動を漏らさずに検知して確実に発呼することができる。
【００４８】
そして、前記呼制御手段２０ｃは、前記トリガ信号送出手段２０ｂからトリガ信号が入力されると、登録されている発信先に発呼する。具体的には、要介護者の安否を通知すべきホームヘルパー及び要介護者の家族等の電話番号を、発信先として発信先電話番号設定手段２０ｅから発信先電話番号記憶手段２０ｆに設定記憶（登録）しておく。
【００４９】
前記発信先電話番号設定手段２０ｅは、例えばテンキーでもいいし、単一のボタンとして押下した回数を入力された数字として逐次登録するような簡易な構造としてもよい。前記発信先電話番号記憶手段２０ｆは、具体的には、電源断でも記憶内容を保持できる不揮発性メモリのような記録媒体が好ましく、例えば、ＲＯＭ（Read Only Memory），ＦＤ（Flexible Disk / Floppy Disk ），ＨＤＤ，ＣＤ−ＲＯＭ，ＤＶＤ−ＲＡＭ，ＤＶＤ−ＲＯＭ，ＭＤ，ＭＯ，ＰＤ等の記録媒体の他、ＥＰＲＯＭ（Erasable Programmable Read Only Memory）やＥＥＰＲＯＭ（Electrically Erasable Programmable Read Only Memory ），フラッシュメモリ，スマートカード（登録商標），スマートメモリ（登録商標），コンパクトフラッシュカードその他のいかなる記録媒体（又は記憶媒体）であっても適用可能である。
【００５０】
前記呼制御手段２０ｃは、前記トリガ信号を受けると、前記発信先電話番号記憶手段２０ｆに登録されている発信先を読み出して、その電話番号に対して発呼する。具体的には、図９（Ａ）に示すように、まず、データ１に登録されている発信先に発呼して、その後速やかにその呼を切断する。そして、次のデータ２に登録されている発信先に発呼して、その後速やかにその呼を切断し、次に…という要領で、登録されている発信先全てに順次発呼及び切断を実行する。
【００５１】
その発呼から切断までの、要介護者Ａ宅（発信側）から介護者Ｂ宅，Ｃ宅，Ｄ宅，…（着信側）までの信号のやりとりについて、図５を用いて説明する。要介護者Ａ宅の前記発信部２０による発呼は、その要介護者Ａ宅を収容する電気通信事業者の発信側ローカル交換機で検出され、ＩＡＭ（Initial Address ,Message）信号として着信側ローカル交換機に到達する。
【００５２】
着信側ローカル交換機は、収容する介護者Ｂ宅，Ｃ宅，Ｄ宅，…の表示アダプタ５０に接続される電気通信回線４０の極性を反転させるとともに（アナログ電気通信回線の場合）、又は収容する介護者Ｂ宅，Ｃ宅，Ｄ宅，…の図示しないターミナルアダプタに接続される電気通信回線４０にＳＥＴＵＰ信号を送出するとともに（デジタル電気通信回線の場合）、発信側に対してＡＣＭ信号（Address Complete Message）を返送して前記ＩＡＭ信号が確実に到着した旨を伝える。ここで、前記ＩＡＭ信号には、発信側の要介護者Ａ宅の加入者電話番号又は契約者電話番号がデータとして含まれている。
【００５３】
そして、前記着信側ローカル交換機は、介護者Ｂ宅，Ｃ宅，Ｄ宅，…の表示アダプタ５０に対して起動信号を送出する（アナログ電気通信回線の場合）。該起動信号を受信した前記表示アダプタ５０は、一時応答信号を着信側ローカル交換機に返送する。該着信側ローカル交換機は、前記ＩＡＭ信号に含まれる要介護者宅Ａの加入者電話番号又は契約者電話番号を、発信者電話番号データとして、ＤＴＭＦ信号等にて前記表示アダプタ５０に対して送出する。
【００５４】
前記発信者電話番号データは、表示アダプタ５０の図示しないＲＳ―２３２Ｃインターフェース等を介して、前記発信者情報表示装置Ｔに伝送される結果、該発信者情報表示装置Ｔで前記要介護者宅Ａで生活行動が起きたことを確認することができる。この場合、介護者Ｂ宅，Ｃ宅，Ｄ宅，…の発信者情報表示装置Ｔが応答することはない。したがって、介護者Ｂ宅，Ｃ宅，Ｄ宅，…の表示アダプタ５０から着信側ローカル交換機にＡＮＭ信号（ANswer Message）が返送されることもない。
【００５５】
ここで、前記呼制御手段２０ｃは、発呼の完了後速やかに、例えば前記ＩＡＭ信号が着信側ローカル交換機に到達して介護者宅Ｂ，Ｃ，Ｄ，…の発信者情報表示装置Ｔに十分到達していると考えられるだけの期間、例えば０．５秒乃至１秒程度経過後、電気通信回線４０の切断処理を行うこととする。このようにすると、前記発信部の切断信号（ループ開放等）によってＲＥＬ信号（RELease ）がＰＳＴＮ内で伝送され、着側交換機は、収容する電気通信回線４０の極性を復極させるとともに、発側交換機に対してＲＬＣ信号（ReLease Complete）を返送して、ＰＳＴＮ内の回線捕捉を解除する。
【００５６】
次に、前記表示アダプタ５０から要介護者Ａ宅の発信者電話番号データを受け取った前記発信者情報表示装置Ｔは、主に図４に示すような発信者情報表示プログラムの実行処理を行う。即ち、介護者Ｂ宅，Ｃ宅，Ｄ宅，…の表示アダプタ５０に前記着信側ローカル交換機から起動がかかって、発信者電話番号データが送出されると、前記発信者情報表示装置Ｔに着信呼び出しがかかる（Ｓ１００）。
【００５７】
その着信呼び出し時に発信者電話番号データが含まれていれば（Ｓ１０１）、該発信者電話番号データを検出する。具体的には、図３で、発信者情報表示装置Ｔの通信インターフェース部６２に前記発信者電話番号データを含む着信呼び出し信号が入力されると、前記ＭＰＵ６０ｂは、通信制御部６０ａにて前記発信者電話番号データだけを検出して（Ｓ１０２）、前記第４記憶部６４に展開する（Ｓ１０３）。
【００５８】
次に、前記ＭＰＵ６０ｂは、前記要介護者テーブル６１ａ1 の内容を前記第４記憶部６４に展開し（Ｓ１０４）、前記第４記憶部６４に展開された受信に係る発信者電話番号と同一の電話番号を含む要介護者のレコードを、前記要介護者テーブル６１ａ1 で検索する〔図９（Ｂ）参照〕。その結果、一致する電話番号を含むレコードが存在する場合は（Ｓ１０６）、対応する要介護者の名前と、その特定された要介護者に関する持病，病歴，投与中の薬剤，対処方法，家族構成，家族の連絡先その他の関連情報に係るデータを、前記第４記憶部６４にロードして展開する（Ｓ１１１）。
【００５９】
ここで、前記要介護者テーブル６１ａ1 の検索は、好ましくはインデックス検索とする。例えば、図９（Ｂ）における要介護者テーブル６１ａ1 の一例では、コード番号又は電話番号をインデックス（又は主キー）として設定することがある。特に、電話番号をインデックスとした場合は、着信した信号から検出されるデータが要介護者宅の発信者電話番号であるから、ヒットするまでの時間を最小にすることができるという利点がある。
【００６０】
また、本発明の要介護者安否確認システムでは、Ｓ１０６における前記要介護者テーブル６１ａ1 の検索を実行する前に、電気通信回線に着信して検出された発信者電話番号と、その検出時間のタイムスタンプとを、前記表示手段６８ｂ1 に表示出力したり、前記印刷手段６８ｂ2 に印刷出力したり、前記音声出力手段６８ａ又は前記警報出力手段６８ｃに音声出力するために、それぞれの信号形式で前記出力インターフェース部６６に出力制御することがある（Ｓ１０５）。この場合は、検出される発信者電話番号が要介護者のものではなく他人からの着信に係る発信者電話番号であっても、全ての着信履歴がイベント毎に出力される。
【００６１】
次に、前記ＭＰＵ６０ｂは、前記第４記憶部６４に展開された要介護者の名前及び関連情報のデータを、入出力制御部を介して出力インターフェース部６６に送出し、出力部が接続されていればいつでもその要介護者の名前及び関連情報を、前記表示手段６８ｂ1 に表示出力又は前記印刷手段６８ｂ2 に印刷出力することができる状態にする（Ｓ１１２）。
【００６２】
具体的には、前記入出力制御部６０ｃは、前記ＭＰＵ６０ｂの指令が表示手段に表示するという内容の場合、その要介護者の名前及び関連情報に係るデータを表示手段６８ｂ1 に表示できるよう適式なデータフォーマットに変換して、前記表示手段６８ｂ1 が接続される出力インターフェース部６６の出力ポートに出力する（Ｓ１１２）。前記表示手段６８ｂ1 は、キャラクタディスプレイ，液晶表示装置，プラズマディスプレイその他のいかなる表示装置でもよい。
【００６３】
前記ＭＰＵ６０ｂの指令が音声出力手段６８ａに出力するという内容の場合は、その要介護者の名前及び関連情報に係るデータの音声読み上げが既に前記設定情報テーブル６１ｂ1 に設定されていれば（Ｓ１０８）、前記音声出力手段６８ａに出力して音声信号として再生されるよう、対応する要介護者の名前等の発声データ（音声ファイルのデータ）を前記第４記憶部６４にロード（展開）し（Ｓ１０９）、適式な電気信号に変換して、前記音声出力手段６８ａが接続される出力インターフェース部６６の出力ポートに出力することがある。前記音声出力手段６８ａは、スピーカ，ヘッドホン，イヤホン，ヘッドセットその他のいかなる音声出力装置でもよく、その音声出力手段６８ａにて要介護者の名前（又は関連情報も）が読み上げられ又は再生される（Ｓ１１０）。
【００６４】
前記ＭＰＵ６０ｂの指令が印刷手段６８ｂ2 に出力するという内容の場合は、その要介護者の名前及び関連情報に係るデータを印刷手段６８ｂ2 に出力して紙媒体に出力されるよう、適式な電気信号に変換して、前記印刷手段６８ｂ2 が接続される出力インターフェース部６６の出力ポートに出力する。前記印刷手段６８ｂ2 は、インクジェットプリンタ，レーザープリンタ（ページプリンタ），ドットマトリクスプリンタ，ラインプリンタその他のいかなる印刷装置でもよいが、好ましくは小型のドットマトリクスプリンタとする。
【００６５】
前記ＭＰＵ６０ｂの指令が警報出力手段６８ｃに出力するという内容の場合は、その要介護者の名前及び関連情報に係るデータをその警報出力手段６８ｃに出力して、介護者が視聴覚的に認識できるよう、適式な電気信号に変換して、前記警報出力手段６８ｃが接続される出力インターフェース部６６の出力ポートに出力する。前記警報出力手段６８ｃは、スピーカ，圧電ブザー，チャイム，ベル，ライト，ランプ，発光ダイオード，振動用モータその他のいかなる警報を視聴覚的に出力できる装置でもよい。
【００６６】
ここで、本発信者情報表示装置Ｔにおける入力部６７は、マイク等の音声入力手段６７ａ、ペンで文字，記号等のデータを入力するペン入力手段６７ｂ1 、キーボード，マウス等のデバイス入力手段６７ｂ2 のいずれかを有する構成とし、これらから入力されるデータは、入力インターフェース部６５を介して前記入出力制御部６０ｃに伝達され、前記ＭＰＵ６０ｂで適宜に解析処理される。
【００６７】
本明細書では、前記ペン入力手段６７ｂ1 と前記デバイス入力手段６７ｂ2 とを合わせてデータ入力部６７ｂと呼称することがある。また、前記表示手段６８ｂ1 と前記印刷手段６８ｂ2 とを合わせてデータ出力部６８ｂと呼称することがある。前記入力部６７は、前記音声入力手段６７ａと、前記データ入力部６７ｂの前記ペン入力手段６７ｂ1 ，前記デバイス入力手段６７ｂ2 との少なくともいずれかひとつを具備していればよく、前記出力部６８は、前記音声出力手段６８ａと、前記データ出力部６８ｂの前記表示手段６８ｂ1 ，前記印刷手段６８ｂ2 と、前記警報出力手段６８ｃとの少なくともいずれかひとつを具備していればよい。
【００６８】
次に、前記ＭＰＵ６０ｂは、Ｓ１０６及びＳ１１１で実行される、受信された要介護者からの着信履歴について、前記第２記憶手段６１ｂのログテーブル６１ｂ2 に書き込み、記憶保存（又は記録）することがある（Ｓ１１３）。そのログテーブル６１ｂ2 には、好ましくは、受信された要介護者の発信者電話番号と、その要介護者の名前とが記憶保存され、理想的には対応する警告メッセージ（又は警告レベル）も記憶保存して、いつ、どの要介護者について、どのような警告が発生したか履歴を保存できるようにする。Ｓ１１２で要介護者の名前及び関連情報データが印刷手段６８ｂ2 に継続的（自動的）に送出される構成となっていれば、Ｓ１１３，Ｓ１１４及びＳ１１５を省略することがある。
【００６９】
そして、本発明の要介護者安否確認システムでは、前記ログテーブル６１ｂ2 の内容を、定期的に又はイベント発生毎に、前記印刷手段６８ｂ2 に出力するために、前記出力インターフェース部６６に出力することがある（Ｓ１１４）。また、前記音声出力手段６８ａを介して音声として読上げるために、音声出力信号を前記出力インターフェース部６６に出力することがある（Ｓ１１５）。Ｓ１１４とＳ１１５は、共に実行されることができ、又はいずれか一方を選択して実行することもできる。そして、前記表示アダプタ５０に接続される電気通信回線４０は、前述したように発呼から適宜の時間経過後、要介護者の発信部２０側から切断され（発信者先掛け）、速やかに復旧される（Ｓ１１６）。
【００７０】
次に、本発明の要介護者安否確認システムが、その要介護者の安否をどのように確認するかについて、説明する。図１０は、前記発信者情報表示装置Ｔの第２記憶手段６１ｂに記憶されることがある設定情報テーブル６１ｂ1 の設定の一例である。
【００７１】
まず、要介護者Ａ宅に設置される生活情報検知部１０の設置場所を設定する。例えば、ＩＤ番号Ｍ５２０３の要介護者「斎藤キク」宅Ａについて、トイレドアに前記生活情報検知部１０を設置して、そのトイレドアの開閉がある毎に、該開閉を生活行動とみなして、その要介護者Ａ宅に設置される発信部２０が介護者Ｂ宅，Ｃ宅，Ｄ宅，…のそれぞれに順次発呼して、要介護者Ａである「斎藤キク」に生活行動があったことを通知することとする。そのため、設定内容「トイレドア」について、起動フラグ「１」を立てる。
【００７２】
次に、３段階等にレベル分けされる警告レベル毎に、前記要介護者Ａの生活行動に異常があるか否かを判定する基準となる警告開始時間と警告終了時間とを定義する。ここでは、警告レベル１については６時３０分から１２時までで、警告レベル２については１２時０１分から１８時までで、警告レベル３については６時３０分から２２時までの全日で、生活行動の異常の有無を判定するものとして設定する。
【００７３】
このような警告情報は、図７に示すような設定画面にて設定されることがある。前記警告レベル１は、設定時間内に前記要介護者Ａ宅からの発呼が１回未満（即ちゼロ回）の場合に、警告メッセージ文１を出力する設定である。以下、同様に、前記警告レベル２は、設定時間内に前記要介護者Ａ宅からの発呼が２回未満の場合に、警告メッセージ文２を出力する設定である。前記警告レベル３は、設定時間内に前記要介護者Ａ宅からの発呼が７回以下の場合に、警告メッセージ文３を出力する設定である。
【００７４】
その警告メッセージ文１，２及び３は、それぞれ図７に示すようなテキスト文とすることがあり、図１０に示す前記設定情報テーブル６１ｂ1 に設定記憶されている。このような設定情報に基づいて、図６に示すような事例で前記要介護者Ａ宅で異常があったと仮定する。
【００７５】
即ち、図６で、正常なパターンとして、要介護者Ａ「斎藤キク」は、通常、午前中は３回、午後１２時から１８時までは２回、同１８時から２２時までは２回。トイレに行くものとする。このとき、午前中に１回もトイレに行っていないとすると、前記生活情報検知部１０は生活情報を検知しないので、前記要介護者Ａ宅の発信部２０は１度も発呼しない。
【００７６】
その結果、図７及び図１０に示したような設定に基づいて、警告レベル１に対応する警告メッセージ文１に係るデータが、前記ＭＰＵ６０ｂの指令によって、前記出力インターフェース部６６に送出される（図４のＳ１０７参照）。その結果、前記警告メッセージ文１が、前記要介護者Ａ「斎藤キク」の名前，発信者電話番号，前記生活情報検知部１０の設置場所等とともに表示手段６８ｂ1 に警告情報としてのテキストデータとして表示される（図８参照）。その際は、前記音声出力手段６８ａ又は前記警報出力手段６８ｃにも前記出力インターフェース部６６から出力信号が伝送されて、警告音等が出力されることがある。
【００７７】
また、午後１２時から１８時までの間に１回しかトイレに行っていないとすると、前記生活情報検知部１０はその１回だけ生活情報を検知して、前記要介護者Ａ宅の発信部２０は１度だけ介護者Ｂ宅，Ｃ宅，Ｄ宅，…のそれぞれに順次発呼する。その結果、図７及び図１０に示したような設定に基づいて、警告レベル２に対応する警告メッセージ文２に係るデータが、前記ＭＰＵ６０ｂの指令によって、前記出力インターフェース部６６に送出される。その結果、前記警告メッセージ文２が、前記要介護者Ａ「斎藤キク」の名前，発信者電話番号，前記生活情報検知部１０の設置場所等とともに前記表示手段６８ｂ1 に警告情報としてのテキストデータとして表示される（図８参照）。その際は、前記音声出力手段６８ａ又は前記警報出力手段６８ｃにも前記出力インターフェース部６６から出力信号が伝送されて、警告音等が出力されることがある。
【００７８】
また、午前６時３０分から２２時までの間に合計３回しかトイレに行っていないとすると、前記生活情報検知部１０は３回だけ生活情報を検知して、前記要介護者Ａ宅の発信部２０は３度だけ介護者Ｂ宅，Ｃ宅，Ｄ宅，…のそれぞれに発呼する。その結果、図７及び図１０に示したような設定に基づいて、警告レベル３に対応する警告メッセージ文３に係るデータが、前記ＭＰＵ６０ｂの指令によって、前記出力インターフェース部６６に送出される。その結果、前記警告メッセージ３が、前記要介護者Ａ「斎藤キク」の名前，発信者電話番号，前記生活情報検知部１０の設置場所等とともに表示手段６８ｂ1 に警告情報としてのテキストデータとして表示される（図８参照）。その際は、前記音声出力手段６８ａ又は前記警報出力手段６８ｃにも前記出力インターフェース部６６から出力信号が伝送されて、警告音等が出力されることがある。
【００７９】
このような警告情報の出力は、発信者情報表示装置Ｔの出力インターフェース部６６に接続される印刷手段６８ｂ2 に、定期的に又は警告イベントが発生する毎に自動的に印刷出力するよう、前記ＭＰＵ６０ｂが前記出力インターフェース部６６を出力制御することがある。その印刷出力結果の一例を図１１に示す。
【００８０】
ここで、本発明の要介護者安否確認システムは、前記警告メッセージ文１，２及び３の替わりに，又は共に、要介護者の生活行動の異常レベルの程度に対応する人相を形象するグラフィックデータを前記出力インターフェース部６６に出力制御することがある。
【００８１】
具体的には、図８に示すように、異常レベルが低く安否に問題がない可能性が高い警告レベル１の場合は比較的元気な表情の第１異常パターン７０，異常レベルが中程度で安否に問題がある可能性がやや高い警告レベル２の場合は比較的元気のない表情の第２異常パターン７１，異常レベルが高く安否に問題がある可能性が極めて高い警告レベル３の場合は救助を求める表情の第３異常パターン７２、というように、その生活行動の異常レベルの程度に対応する人相がグラフィックデータに形象されて前記出力インターフェース部６６に出力される。
【００８２】
その結果、前記第１異常パターン等のグラフィックデータが、前記出力インターフェース部６６に出力制御され、例えば前記表示手段６８ｂ1 に表示されたり、前記印刷手段６８ｂ2 に印刷出力されることとなる。これらの人相を形象するグラフィックデータは、図１０に示す前記設定情報テーブル６１ｂ1 に設定記憶されることができ、そのデータ形式は、スキャンされた写真やドローツールで作成された描画のＪＰＥＧ形式，ＴＩＦＦ形式，ＧＩＦ形式，ＢＭＰ形式，QuickTime （登録商標）形式，ＡＶＩ形式，ＰＩＣＴ形式その他のいかなるデータ形式のグラフィックデータであってもよい。
【００８３】
図１３は、本発明の要介護者安否確認システムの別の実施形態で、前記生活情報検知部１０として温度センサとリミッタとを適用し、気温の監視を行うものである。茶畑や農場において、明け方に降霜が始まった場合、その気温の低下を検知して発信部２０が、その茶畑等の管理を行っている管理者Ｂ宅，Ｃ宅，Ｄ宅，…に順次発呼する。これにより、前記管理者Ｂ宅等において、どこの茶畑で降霜が始まったかを直ちに知ることができるので、現地に最も近い作業者に適切に対処の指示を速やかに出すことができる等の優れた利点がある。
【００８４】
以上、本発明の要介護者安否確認システムにおける発信者情報表示装置Ｔは、いわゆるモバイルコンピュータ端末，ノートブック型コンピュータ端末，デスクトップ型コンピュータ端末，ラップトップ型コンピュータ端末．携帯型端末（ＰＤＡ），携帯電話端末，ＰＨＳ（Personal Handy phone System ），専用端末その他のいかなる装置でも好適に動作させることができる。
【００８５】
また、前記第３記憶部のような、発信者情報表示プログラムを記録したコンピュータ読取り可能な記録媒体は、図１４に示す形態を取り得る。即ち、前記発信者情報表示プログラムは、ＣＤ−ＲＯＭ，ＭＯ，ＤＶＤ−ＲＯＭ，ＰＤ等の円盤状記録媒体７４，フロッピーディスク７５，ＲＡＭ等のメモリチップ７１，ＥＰＲＯＭ，スマートカード（登録商標），スマートメディア（登録商標）等の書換可能なＲＯＭ７２等に記録することができ、コンピュータ読取り可能である。そして、円盤状記録媒体ドライブ又はフロッピーディスクドライブからＳＣＳＩポート，ＵＳＢポート，ＩＥＥＥ１３９４ポート等を経由して、デスクトップ型コンピュータ７０に前記発信者情報表示プログラムを転送することもできる。この場合は、そのデスクトップ型コンピュータに内臓又は外付けされるハードディスク７３等の記憶媒体又は記録媒体に前記発信者情報表示プログラムが記録（記憶）される。
【００８６】
また、本発明の要介護者安否確認システムは、前記設定情報テーブル６１ｂ1 の設定回数を変更して、適宜、要介護者の生活行動が通常よりも多い場合に、異常と判定して、出力表示，印刷出力，警告等することがある。
【００８７】
また、本発明の要介護者安否確認システムは、前記発信者情報表示装置Ｔを使用せずに、前記表示アダプタ５０を前記印刷手段６８ｂ2 に直接接続する構成とすることがある。この場合、前記制御部６０と，前記要介護者情報記憶部６１と，前記第３記憶部６３と，前記第４記憶部６４とを、例えばオンボードとしたり、ワンチップに構成した超集積回路ＬＳＩ（又は集積回路ＩＣ）としたり、カスタムメイドとした特定用途向けＩＣ（ＡＳＩＣ）として構成して、前記印刷手段６８ｂ2 内に設けることがある（図１２参照）。
【００８８】
【発明の効果】
請求項１の発明では、要介護者宅内に設置されてドアの開閉，テレビ電源の投入切断，人の往来その他の人の生活行動に関連する情報としての生活情報信号を出力する生活情報検知部１０と、前記生活情報信号の入力に応じて登録発信先に発呼する発信部２０と、前記要介護者の名前と，前記発信部２０に接続される電気通信回線の加入者電話番号又は契約者電話番号とを対応させて格納する要介護者テーブル６１ａ1を記録可能な要介護者情報記録部６１を設けた発信者情報表示装置Ｔとからなり、該発信者情報表示装置Ｔは複数それぞれの介護者宅内に備えられると共に、前記要介護者宅内の発信部２０とは電気通信回線４０を介して接続され、前記発信部２０には、前記要介護者の生活行動の発生に応じて登録発信先に発呼してその後速やかに切断する呼制御手段２９ｃを設け、前記発信者情報表示装置Ｔには、電気通信回線４０から検出される前記要介護者の発信者電話番号に対応した，前記要介護者テーブル６１ａ1から読み出される要介護者の名前データを出力制御する出力インターフェース部６６を設ける共に、前記発信者情報表示装置Ｔの全体を規定されたステップに従って制御実行するための制御部６０を備えた要介護者安否確認システムとしたことによって、遠隔地に居住する家族やホ−ムヘルパー等の複数の介護者宅において、日常的に、且つ電気通信回線４０の通話料が課金されずに、独居老人，非健常者等の要介護者の安否を容易且つ確実に確認することができる。
【００８９】
すなわち、要介護者宅に設置される前記生活情報検知部１０及び発信部２０と、介護者側に設置される要介護者情報記録部６１を設けた発信者情報表示装置Ｔとからなる構成としたことによって、要介護者による日常生活での生活行動をトリガにして、電気通信回線４０で確実にその生活行動の有無を確認することができるので、遠隔地に居住する家族やホ−ムヘルパー等の複数の介護者宅において、日常的に、独居老人，非健常者等の要介護者の安否を容易且つ確実に確認することができるという極めて優れた効果を有する。
【００９０】
更に、前記発信部２０には、前記要介護者の生活行動の発生に応じて登録発信先に発呼してその後速やかに切断する呼制御手段２０ｃを設け、前記要介護者情報記録部６１には、前記要介護者の名前と，前記発信部の接続される電気通信回線の加入者電話番号又は契約者電話番号とを対応させて格納する要介護者テーブル６１ａ1 を設ける構成としたことにより、ＰＳＴＮ網側にＡＮＭ信号を返すことなく、要介護者の安否を確認することができる。
【００９１】
すなわち、要介護者宅の発信部２０が何回発呼しても、着信側が応答することがないので、ＰＳＴＮ網で課金されることがない。したがって、要介護者と介護者との両者は、少なくとも電気通信回線４０に係る通話料を一切負担することなく、従来提案されている種々の安否確認システムよりも、格段のローコスト，維持費及び導入費にて、速やかに本要介護者安否確認システムを使用することができるという極めて優れた利点も有する。
【００９２】
更に、前記発信部２０の発呼による回線占有時間は、せいぜい数秒程度であるから、本発明の要介護者安否確認システムが広い地域で実施されたとしても、キャリアの交換機及びＰＳＴＮに対して輻輳を生じることもない。したがって、いわゆるコールバックサービスのように網側に負担をかけることが全くない状態で、要介護者の安否を確認できるという極めて優れた利点もある。
【００９３】
次に、請求項２の発明では、請求項１記載において、前記要介護者情報記憶部６１には、前記生活情報検知部１０が設置される場所と，時間帯別の最低着信予定回数と，前記時間帯と，これらに対応する具体的な警告メッセージ文とをそれぞれ設定記憶する設定情報テーブル６１ｂ1 を設け、出力インターフェース部６６は、前記発信部２０からの着信回数を計測して、設定時間帯に設定回数だけ着信がなかったときに、前記設定時間帯に対応する警告情報を出力する要介護者安否確認システムとしたことによって、要介護者の日常の行動パターンを設定情報として設定記憶しておくことができ、その設定情報を基準にして異常と考えられる状態が検出された場合、介護者の発信者情報表示装置Ｔに電気通信回線４０を介して確実にその異常が通知される。
【００９４】
その結果、請求項１の発明による極めて優れた効果に加えて、要介護者の安否に関して警告情報を得ることができるようになって、更に確実に要介護者の安否を確認することができるようになるという極めて優れた効果を有する。
【００９５】
次に、請求項３の発明は、請求項２記載において、前記警告情報は、要介護者の生活行動の異常について具体的に警告する内容の警告メッセージ文データである要介護者安否確認システムとしたことによって、より具体的に要介護者の安否について想定される状態を適切に表現した警告メッセージ文データを前記出力手段に出力することができる。
【００９６】
その結果、介護者は、要介護者がどのように異常なのかを直ちに知ることができるので、請求項３の発明による極めて優れた効果に加えて、要介護者の安否に関して更に詳しい警告情報を得ることができるようになって、更に確実に要介護者の安否を確認することができるようになるという極めて優れた効果を有する。
【００９７】
具体的には、例えば介護者がホームヘルパーである場合、一人の介護者は複数の要介護者について安否を確認しなければならないが、本願発明では要介護者を複数登録しておくことができる構成としたので、複数の要介護者から同一介護者に着信があっても、確実に識別することができ、しかもその着信に係る要介護者に個別対応する詳細情報（住所，既往症，…）及び警告メッセージ文を出力して確実に介護者に認識させることができるという極めて優れた効果を有する。
【００９８】
更には、前記介護者が、例えば要介護者の家族に係る子供１人のみのような場合は、その要介護者として、ヘルパーに加えて、その子供一人も登録することができるので、家族であるその要介護者に係る安否のみを確認できるようにすることもできるという利点もある。
【００９９】
次に、請求項４の発明では、請求項２記載において、前記警告情報は、要介護者の生活行動の異常レベルの程度に対応する人相を形象するグラフィックデータである要介護者安否確認システムとしたことによって、より具体的に要介護者の安否について想定される状態を適切に表現した警告情報を前記出力手段に出力することができる。
【０１００】
その結果、介護者は、要介護者がどのように異常なのかを直ちに知ることができるので、請求項２の発明による極めて優れた効果に加えて、要介護者の安否に関して更に詳しい警告情報を得ることができるようになって、更に確実に要介護者の安否を確認することができるようになるという極めて優れた効果を有する。
【０１０１】
具体的には、例えば介護者がホームヘルパーである場合、一人の介護者は複数の要介護者について安否を確認しなければならないが、本願発明では要介護者を複数登録しておくことができる構成としたので、複数の要介護者から同一介護者に着信があっても、確実に識別することができ、しかもその着信に係る要介護者の生活行動の異常の程度に個別対応する人相が、グラフィックデータとして形象的に出力されるので、一見して確実に、要介護者の異常の程度を介護者に認識させることができるという極めて優れた効果を有する。
【０１０２】
更には、前記介護者が、例えば要介護者の家族に係る子供１人のみのような場合は、その要介護者を、ヘルパーに加えて、その子供一人も登録することができるので、家族であるその要介護者に係る安否のみを確認できるようにすることもできるし、その着信に係る要介護者の生活行動の異常の程度に個別対応する人相が、グラフィックデータとして形象的に出力されるので、子供でも容易にして直ちに要介護者の異常の程度が認識できるという利点もある。
【０１０３】
次に、請求項５の発明は、請求項１，２又は３記載において、前記要介護者情報記憶部６１は、前記発信部２０からの着信に連動して、その着信履歴としての前記要介護者の電話番号データ，名前データ，着信時刻データ及び対応する前記警告メッセージデータを記憶するログテーブル６１ｂ2 を記録し、前記発信者情報表示装置Ｔが前記ログテーブル６１ｂ2 に記憶された内容を前記出力部６８に順次印刷出力する要介護者安否確認システムとしたことによって、要介護者宅からの着信履歴を、いつでも紙媒体等で一見して確認することができるようになる。
【０１０４】
その結果、請求項１，２又は３の発明による極めて優れた効果に加えて、介護者が発信者情報表示装置Ｔの表示画面を見逃したり別の画面に切り替えてしまっても、常に、要介護者宅から、いつ、何回発信があったか、警告は出ているか、等の安否を確認するのに極めて重要な情報を、漏れ無く保存しておくことができるので、更に確実に要介護者の安否を確認することができるようになるという極めて優れた効果を有する。
【図面の簡単な説明】
【図１】本発明の要介護者安否確認システムの構成を示す概略図
【図２】主に要介護者宅に設置される生活情報検知部及び発信部のブロック図
【図３】主に介護者宅に設置される発信者情報表示装置のブロック図
【図４】発信者情報表示装置が要介護者宅の発信部からの発呼を受信して、その要介護者安に関する情報の出力、生活行動の異常を検出して通知する警告を実行する発信者情報表示プログラムのフローチャート図
【図５】要介護者宅の発信部から介護者宅の発信者情報表示装置までの呼制御信号シーケンス図
【図６】本発明の要介護者安否確認システムが、要介護者の生活行動に異常を検出する判定基準の概念図
【図７】発信者情報表示装置における要介護者の生活行動の異常を判定する設定画面の一例を示す状態図
【図８】発信者情報表示装置が、要介護者の生活行動に異常を検出したときの警告画面の一例を示す状態図
【図９】（Ａ）は発信部の発信先電話番号記憶手段に記憶される発信先電話番号のデータ構造の一例を示す概略図（Ｂ）は要介護者テーブルのデータ構造の一例を示す概略図
【図１０】設定情報テーブルのデータ構造の一例を示す概略図
【図１１】発信者情報表示装置が、要介護者の生活行動に異常を検出したときに、警告画面を表示し、ログファイルの内容を自動的に印刷出力する構成としたときの一例を示す概略図
【図１２】発信者情報表示装置が、要介護者の生活行動に異常を検出したときに、ログファイルの内容を自動的に印刷出力する構成としたときの一例を示す概略図
【図１３】本発明の要介護者安否確認システムを、農場，茶畑等の気温異常を検出する形態として適用したときの構成を示す該略図
【図１４】本発明の要介護者安否確認システムにおける発信者情報表示装置が実行する発信者情報表示プログラムが格納されることがある記録媒体（又は記憶媒体）の一例を示す概略図
【符号の説明】
１０…生活情報検知部
２０…発信部
２９ｃ…呼制御手段
４０…電気通信回線
６１…要介護者情報記録部
６１ａ1 …要介護者テーブル
６１ｂ1 …設定情報テーブル
６１ｂ2 …ログテーブル
６６…出力インターフェース部
Ｔ…発信者情報表示装置
【図１】
0004370021.tif 000002
【図２】
0004370021.tif 000003
【図３】
0004370021.tif 000004
【図４】
0004370021.tif 000005
【図５】
0004370021.tif 000006
【図６】
0004370021.tif 000007
【図７】
0004370021.tif 000008
【図８】
0004370021.tif 000009
【図９】
0004370021.tif 000010
【図１０】
0004370021.tif 000011
【図１１】
0004370021.tif 000012
【図１２】
0004370021.tif 000013
【図１３】
0004370021.tif 000014
【図１４】
0004370021.tif 000015